(57)【特許請求の範囲】
【請求項１】
少なくとも腹部を覆う前身頃と臀部を覆う後身頃およびクロッチ部とで形成された１枚布からなる股部を有する衣類であって、前記１枚布の両側縁の上半分を重合させて腹部当て布とし、残りの下半分の外側縁と内側縁とを重合させて脚部布とし、腹部当て布を構成する両側縁の上半分の下端にそれぞれ横Ｊ字状の切欠部と、脚部布を構成する内側縁の上端部に逆Ｕ字状の切欠部とを設け、両側縁の上半分同士および下半分の外側縁と内側縁とを重合させることで横Ｊ字状の切欠部と逆Ｕ字状の切欠部によりクロッチ部に平面略舌片状の開口部を形成し、該開口部の裏面から熱溶着または接着剤で接合するマチ布で該開口部を塞いでなる股部を有する衣類。
【請求項２】
少なくとも腹部を覆う前身頃と臀部を覆う後身頃およびクロッチ部を覆う形状に裁断された１枚の本体布を得る工程と、前記裁断された本体布のうち、腹部当て布となる両側縁の上半分の下端にそれぞれ横Ｊ字状の切欠部を欠如する工程と、前記裁断された本体布のうち、脚部布となる下半分の内側縁の上端部に逆Ｕ字状の切欠部を欠如する工程と、両側縁の上半分同士を重合させて腹部当て布を形成し、下半分の外側縁と内側縁とを重合させて脚部布を形成する工程と、横Ｊ字状の切欠部と逆Ｕ字状の切欠部を組み合わせてクロッチ部に平面略舌片状の開口部を形成する工程と、その開口部の裏面から熱溶着または接着剤で接合するマチ布で当該開口部を塞ぐ工程とからなることを特徴とする股部を有する衣類の製造方法。 
【発明の詳細な説明】
【技術分野】
【０００１】
本発明は、ロングガードル、ショートガードル、ショーツ、スパッツ、ボディスーツなど身体に密着して着用される股部を有する衣類およびその製造方法に関し、さらに詳しくは、体型補整のためのガードルやスパッツなどに適する股部を有する衣類およびその製造方法に関するものである。
【背景技術】
【０００２】
従来から、主として腹部や臀部、大腿部などの下半身を美しく補整して造形する股部を有する衣類の１つにガードルがある。そのガードルは、脚部の長いロングタイプと脚部の短いショートタイプがあり、通常、パワーネット、サテンネット、ツーウエイトリコットなど伸縮性の経編地を用いて、腹部を覆う前身頃と臀部を覆う後身頃と大腿部を覆う左右両脚部およびクロッチ部とで構成されている。そして、前身頃の正面中央部に伸縮しない腹部当て布を設けて腹部の膨出を押さえると共に、臀部下部の後中心部近傍から脇方向に向かって斜め上向きに裏打ち布を設けてヒップを下方から持ち上げヒップアップさせてプロポーションのとれた美しい下半身を造形するようになっている（例えば、特許文献１参照）。
【０００３】
【特許文献１】登録実用新案第３１０１７９９号公報
【発明の開示】
【発明が解決しようとする課題】
【０００４】
しかし、上記特許文献１のものは、前身頃と腹部当て布との縫製、後身頃と裏打ち布との縫製、前身頃と後身頃の縫製、左右両脚部の内側縁と外側縁の縫製、前身頃と後身頃を連結するマチ布との縫製など各部位の縫製作業が必要で多くの手間と時間を要し、製作が極めて非能率的でありコスト高になっていた。また、縫製によるガードルは、接着剤などの接合と較べると着用圧力が高くなり着用感が優れないと言った問題点があった。
【０００５】
特に、クロッチ部においては、図１２に示すように、股部布３１上に当て布３２の前端３２ａを前身頃２２に、当て布３２の後端３２ｂを後身頃２３にそれぞれ幅方向に略直線状になるように縫着し、当て布３２の両側縁３２ｃ，３２ｄは股部布３１の股部左右両側部３５ａ，３５ｂと縫着してある。そのため、肌当接面に縫着線が突出することになり、着用時に違和感を覚えたり肌荒れを生じるばかりでなく、股部布３１と当て布３２で２重になりクロッチ部が分厚くなりアウター着用時にその部分が表面に現れ外観が不体裁になる問題点があった。
【０００６】
本発明は、上記のような問題を解決することを課題として研究開発されたもので、クロッチ部に設けた開口部にマチ布を縫製でなく熱溶着または接着剤で接合して塞ぎ、縫製による引きつり感や窮屈感がなく、着用時の着用圧がコントロールされて着心地が良く、また、クロッチ部が薄くなって蒸れることもなくなり、アウターに響かないおしゃれで優美でもあり、かつ、1枚の布で構成され接合箇所が少なくて製作が容易となり、大量生産に適し安価になる股部を有する衣類およびその製造方法を提供することを目的とするものである。
【課題を解決するための手段】
【０００７】
上記の課題を解決し、その目的を達成する手段として、本発明は、少なくとも腹部を覆う前身頃と臀部を覆う後身頃およびクロッチ部とで形成された１枚布からなる股部を有する衣類であって、前記１枚布の両側縁の上半分を重合させて腹部当て布とし、残りの下半分の外側縁と内側縁とを重合させて脚部布とし、腹部当て布を構成する両側縁の上半分の下端にそれぞれ横Ｊ字状の切欠部と、脚部布を構成する内側縁の上端部に逆Ｕ字状の切欠部とを設け、両側縁の上半分同士および下半分の外側縁と内側縁とを重合させることで横Ｊ字状の切欠部と逆Ｕ字状の切欠部によりクロッチ部に平面略舌片状の開口部を形成し、該開口部の裏面から熱溶着または接着剤で接合するマチ布で該開口部を塞いでなる股部を有する衣類を開発し、採用した。
【０００８】
また、本発明は、少なくとも腹部を覆う前身頃と臀部を覆う後身頃およびクロッチ部を覆う形状に裁断された１枚の本体布を得る工程と、前記裁断された本体布のうち、腹部当て布となる両側縁の上半分の下端にそれぞれ横Ｊ字状の切欠部を欠如する工程と、前記裁断された本体布のうち、脚部布となる下半分の内側縁の上端部に逆Ｕ字状の切欠部を欠如する工程と、両側縁の上半分同士を重合させて腹部当て布を形成し、下半分の外側縁と内側縁とを重合させて脚部布を形成する工程と、横Ｊ字状の切欠部と逆Ｕ字状の切欠部を組み合わせてクロッチ部に平面略舌片状の開口部を形成する工程と、その開口部の裏面から熱溶着または接着剤で接合するマチ布で当該開口部を塞ぐ工程とからなることを特徴とする股部を有する衣類の製造方法を開発し、採用した。
【発明の効果】
【０００９】
本発明の請求項１記載の発明によれば、腹部当て布の下端から左右両脚部の外側上端に設けた横Ｊ字状の切欠部を、左右両脚部の内側上端から上方に設けた逆Ｕ字状の切欠部の左右に配置させてクロッチ部に平面舌片状の開口部を形成し、その開口部が平面になるから、裏面からマチ布を接合しやすくなって開口部を容易に塞ぐことができる。また、クロッチ部に従来のような縫着線がなくなり肌に接触して違和感を覚えたり、肌荒れを生じたりすることがなくなると共に、ガードル全体が縫製によらず熱溶着または接着剤による接合であるから、締め付け感や窮屈感がなくなると共に、着用時の着用圧がコントロールされて着心地が良くなる。また、クロッチ部が一重で薄く臀部にフイットし易く、通気性に優れて蒸れを防ぐことができ、マチ布がアウターの外観に映ることがないので体裁良好になる。
請求項２記載の発明によれば、1枚の単一素材の生地で構成されていると共に、縫製を採用することなく仕上げられているので、ミシン縫製のような熟練者でなければ従事できなかったことが解消され、未経験者であってもガードル、ショーツ、スパッツ、ボディスーツなど密着して着用する股部を有する衣類の製造が容易に行え、生産効率がよく大量生産に適すると共に、着用時の着用圧がコントロールされ、接合部の段差凹凸も必要最小限の動き易い股部を有する衣類を製造できる。また、腹部当て布と両脚部は熱溶着または接着剤で接合して伸びを抑えてあるから、腹部および大腿部にピッタリとフイットして形を整える股部を有する衣類を製造できる。さらに、腹部当て布の下端から左右両脚部の外側上端へ続く内方に入り込む横Ｊ字状の切欠部と、左右両脚部の内側上端の上方に入り込む逆Ｕ字状の切欠部を３個組み合わすことによって、クロッチ部において比較的簡単に平面略舌片状の開口部を有する股部を有する衣類を製造できる。また、マチ布は開口部の裏面から略平面で接合可能に形成されているから開口部を簡易に塞ぐ事ができる股部を有する衣類を製造できる。
【発明を実施するための最良の形態】
【００１０】
以下に、本発明の実施の形態をロングガードルの例で説明する。図１は正面斜視図、図２は背面斜視図、図３は底面図、図４はマチ布を示しており、１はナイロンやポリウレタン繊維などを用いて編製または織製された伸縮性生地からなるガードルで、このガードル１は腹部を覆う前身頃２と、臀部を覆う後身頃３と、大腿部を覆う左右両脚部４，４と、前身頃２と後身頃３とを一連にするクロッチ部５とから構成されている。
【００１１】
前身頃２の正面中央部には、ウエスト部６からクロッチ部５に至る長さの腹部当て布7，７を熱溶着または接着剤で接合して設けられている。この腹部当て布７の一側縁７ａは、上下端から徐々に外方に向かって膨らみ中間部で最大膨出部になる弧状辺に形成されてあり、前記熱溶着または接着剤で縦方向および横方向の両方向の伸びが抑えられて伸縮しないようになっている。
【００１２】
大腿部を覆う左右の両脚部４，４は、ロングタイプになっているが、ショートタイプのものであっても良いのは勿論のことであり、外側縁４ａと内側縁４ｂを熱溶着または接着剤で接合して脚部４，４が形成され、内側の接合部は伸びないようになっている。８は後身頃３の臀部に設けた円形状の加熱成形部であり、その加熱成形部８はそれ以外の部分より伸縮性を良好にし、伸びバランスを調整して着用した時、ヒップが張り出して丸く美しいヒップラインを作り出すと共に後身頃のズレを防止している。
【００１３】
９はクロッチ部５に形成された平面略舌片状の開口部であり、この開口部９は、図６に示すように、腹部当て布７，７の下端部から左右両脚部４，４の外側上端へ続く内方に入りこむ横Ｊ字状の切欠部１０，１０と左右両脚部４，４の内側上端から上方に入りこむ逆Ｕ字状の切欠部１１が組み合わされて形成されたものである。
【００１４】
１２は開口部９を塞ぐ伸縮性薄生地のマチ布であり、前身頃２や後身頃３と同じ生地であり、図４に示すように、開口部９より一回り大きい、かつ同形状からなる平面略舌片状で、表面の周縁部に接着剤１３を塗着してありその上面に剥離紙１４を貼着してある。
【００１５】
このように構成された実施の形態によるガードル１の作用、効果は、クロッチ部５に平面略舌片状の開口部９が形成され、その開口部９に伸縮性薄生地のマチ布１２を熱溶着または接着剤１３で接合して塞ぐものであるから、重合する部分は周縁部だけであり、クロッチ部５はマチ布１２だけの一重状態となり、臀部の割れ目に沿ってフイットし易く、通気性に優れ蒸れを防ぐことができ、締め付け感や窮屈感がなくなり、接着による接合であるから、縫製のような着用時の着用圧力が高くなく快適な着心地となる。
【００１６】
つぎに、股部を有する衣類の製造方法を、前記実施の形態で示すロングガードル１の例で説明すると、図６の展開図に示すように、前身頃身２と後身頃３と左右両脚部４，４とクロッチ部５を覆う形状に裁断された1枚の本体布１５を得る。この本体布１５はパワーネット、サテンネット、ツーウエイトリコットなどポリウレタン繊維からなる単一素材の経編地の1枚のものを使用している。
【００１７】
裁断された本体布１５の両側縁の上半分には前身頃２の正面中央部に位置する腹部当て布７，７が、上下端から徐々に外方に向かって膨らみ中間部で最大膨出部になる弧状片７ａ，７ａに形成してある。また、下半分には左右両脚部４，４の外側縁４ａ，４ａが直線状に形成されてあり、腹部当て布７，７の下端から左右両脚部４，４の外側上端へと続く１０ａ−１０ｂ−１０ｃラインと１０ｄ−１０ｅ−１０ｆラインの内方に入りこむ横Ｊ字状の切欠部１０，１０を設けると共に、左右両脚部４，４の内側上端から１１ａ−１１ｂ−１１ｃラインの上方に入りこむ逆Ｕ字状の切欠部１１を設けてある。    
【００１８】
そして、図６の展開状態から両側縁の腹部当て布７，７を前身頃２の中央部になるよう互いに内方に折り返して重合し、一方の腹部当て布７に塗着されたホットメルト接着剤や接着シート１６などで他方の腹部当て布７と接合する。その後、左右両脚部４，４の外側縁４ａ，４ａに塗着されたホットメルト接着剤や接着シート１６，１６などで内側縁４ｂ，４ｂと接合する。そうすると、クロッチ部５において、前記切欠部１０，１０、１１が組み合わされて平面略舌片状の開口部９が形成される。
【００１９】
すなわち、図９に示すように、１０ａ−１０ｂ−１０ｃラインからなる一方の横Ｊ字状の切欠部１０を前身頃２の右側に、１０ｄ−１０ｅ−１０ｆラインからなる他方の横Ｊ字状の切欠部１０を前身頃２の左側に左右対称になるように配置し、１１ａ−１１ｂ−１１ｃラインからなる逆Ｕ字状の切欠部１１を後身頃３に配置することにより舌片状の開口部９が略平面状に形成される。    
【００２０】
上記の腹部当て布７は、前身頃２の正面中央部に位置して腹部の贅肉の膨出を押さえる観点から縦方向および横方向に伸びないようにするため、前述の通り左右２枚の腹部当て布７，７をホットメルト接着剤や接着シート１６で接合してある。また、左右両脚部４，４は、大腿部を締め付けて美しいラインにするため、ホットメルト接着剤や接着シート１６で内側を接合して伸びを抑えてある。また、後身頃３の臀部にはヒップにフイットするように円形状の加熱成形部８があり、それ以外の部分との生地の伸びバランスを調整して着用した時のヒップラインを美しく整えられると共に後身頃のズレを防止している。
【００２１】
クロッチ部５に形成された開口部９は、該開口部９と同形状で開口部９より一回り大きい本体布１５と同一の伸縮性薄生地からなるマチ布１２により開口部９の裏面から熱溶着または接着剤により接合して開口部９を塞ぐ。
【００２２】
上記実施の形態によるガードルの製造方法の作用、効果は、単一素材の1枚の生地によって縫製することなく、熱溶着または接着剤などの接合により仕上げられており、接合箇所が少なく、伸びのバランスが均一となり、腹部当て布と左右両脚部の接合部の段差も必要最小限に形成されてあるから、着用時の着用圧がコントロールされ着心地良好な美しい下半身を造形するガードルが得られる。
【００２３】
また、クロッチ部５に形成される開口部９は、一方の横Ｊ字状の切欠部１０を前身頃２の右側に、他方の横Ｊ字状の切欠部１０を前身頃２の左側に、左右対称になるように配置すると共に、逆Ｕ字状の切欠部１１を後身頃３に配置することにより、舌片状の開口部９が略平面状に形成でき、その開口部９の裏面からマチ布１２に貼着した接着剤１３により平面状で接合できる至便性があり、その接合作業が確実で能率的に行うことができ、大量生産に適し製造コストの低下を図ることができる。また、従来のように、マチ布が大きくなく、かつ後身頃とマチ布との縫着線が、脚の履き口の縁部まで達しないので、肌に当たるゴツゴツ感が生じない着用感の良いガードルを効率的に容易に得ることができる。
【００２４】
以上、本発明の実施の形態においては、ロングガードルの例で説明したが、それらに限定されるものではなく、少なくとも腹部、臀部、股部を覆うことが可能な衣類であれば特に限定されるものではなく、例えば、ボディスーツに適用することも可能であり、要するに発明の目的を達成でき、かつ発明の要旨を逸脱しない範囲内において種々の設計変更が可能であることは当然のことである。
【産業上の利用可能性】
【００２５】
本発明は、ロングガードル、ショートガードル、ショーツ、スパッツ、ボディスーツなどから選ばれた衣料に適用することができる。
【図面の簡単な説明】
【００２６】
【図１】本発明の股部を有する衣類のロングガードルを正面側から見た斜視図である。
【図２】図1に示したロングガードルの背面側から見た斜視図である。
【図３】図1に示したロングガードルの底面側から見た拡大底面図である。
【図４】マチ布の拡大平面図である。
【図５】図４のＡ−Ａ線断面図である。
【図６】ロングガードル用裁断生地の展開平面図である。
【図７】一側辺を折り返した状態の正面図である。
【図８】他側片を折り返して接合した状態の正面図である。
【図９】クロッチ部に開口部が形成されている状態の底面図である。
【図１０】クロッチ部の開口部をマチ布で塞いだ状態の底面図である。
【図１１】図１０のＢ−Ｂ線断面図である。
【図１２】従来のクロッチ部を示す簡略平面図である。
【符号の説明】
【００２７】
１    ガードル    
２    前身頃    
３    後身頃
４    左右両脚部
５    クロッチ部
７    腹部当て布
８    加熱成形部
９    開口部
１０  切欠部
１１  切欠部
１２  マチ布
１５  本体布
【図１】
0004491430.tif 000002
【図２】
0004491430.tif 000003
【図３】
0004491430.tif 000004
【図４】
0004491430.tif 000005
【図５】
0004491430.tif 000006
【図６】
0004491430.tif 000007
【図７】
0004491430.tif 000008
【図８】
0004491430.tif 000009
【図９】
0004491430.tif 000010
【図１０】
0004491430.tif 000011
【図１１】
0004491430.tif 000012
【図１２】
0004491430.tif 000013